(57)【特許請求の範囲】
【請求項１】
筐体と、
前記筐体の側面に形成された、記録媒体を受け入れ可能な供給口と、前記筐体の上部に形成された、記録媒体を排出するための排出口と、前記供給口から前記排出口に至る前記筐体内に形成された搬送経路とを有し、前記供給口から供給される記録媒体を前記搬送経路に沿って搬送し、前記排出口から前記筐体の外部へと排出するための搬送部と、
前記筐体内に配置され、前記搬送部により搬送される記録媒体に画像を記録するための画像記録部と、
前記側面から延出し、前記供給口に供給される記録媒体の先端部を支持可能なトレイと、
前記筐体の上部に配置された空間形成部であって、前記排出口から排出された記録媒体を積載して収容可能な収容空間と、前記トレイにより先端部が支持された記録媒体の後端部を挿入可能な挿入口を有する保持空間とを仕切板により仕切る仕切状態を取りえるように構成された空間形成部とを備えており、
前記保持空間は、
前記挿入口から挿入された記録媒体の後端部を保持可能に構成されており、且つ、
前記収容空間に収容される記録媒体の積載方向から見て、前記収容空間と少なくとも一部が重複しており、
前記仕切板は、
前記仕切状態にあるときに、前記収容空間に収容される記録媒体の積載方向から見て、前記筐体の範囲内に位置していることを特徴とする画像記録装置。
【請求項２】
前記保持空間が、前記収容空間よりも前記供給口側に配置されていることを特徴とする請求項１に記載の画像記録装置。
【請求項３】
前記空間形成部は、
前記仕切状態と、前記収容空間と前記保持空間との仕切を解除した解除状態とを取りえるように構成されており、
前記空間形成部が前記解除状態のとき、
前記保持空間においても前記排出口から排出された記録媒体を積載して収容することが可能に構成されていることを特徴とする請求項２に記載の画像記録装置。
【請求項４】
前記空間形成部は、
前記筐体の上面から上方に立設し、前記排出口から排出される記録媒体の排出方向と直交する方向に関して対向する一対の立設板と、
前記一対の立設板の少なくとも何れか一方に形成された、前記仕切板を着脱可能に保持する保持部とを備えており、
前記仕切板が前記保持部により保持されたときに前記仕切板により前記収容空間と前記保持空間とが仕切られて前記仕切状態となり、前記仕切板にて前記排出口から排出される記録媒体を積載可能となるように構成され、且つ、
前記仕切板が前記保持部から取り外されたときに前記解除状態となるように構成されていることを特徴とする請求項３に記載の画像記録装置。
【請求項５】
前記空間形成部は、
前記筐体の上面から上方に立設し、前記排出口から排出される記録媒体の排出方向と直交する方向に関して対向する一対の立設板を備えており、
前記仕切板は、
前記一対の立設板の少なくとも何れか一方に回動自在に取り付けられ、前記立設板に対して起立した起立姿勢と、前記立設板に対して伏した伏せ姿勢とに回動姿勢が変更可能であり、
前記仕切板が前記起立姿勢のときに前記仕切板により前記収容空間と前記保持空間とが仕切られて前記仕切状態となり、前記仕切板にて前記排出口から排出される記録媒体を積載可能となるように構成され、且つ、
前記仕切板が前記伏せ姿勢のときに前記解除状態となるように構成されていることを特徴とする請求項３に記載の画像記録装置。
【請求項６】
筐体と、
前記筐体の側面に形成された、記録媒体を受け入れ可能な供給口と、前記筐体の上部に形成された、記録媒体を排出するための排出口と、前記供給口から前記排出口に至る前記筐体内に形成された搬送経路とを有し、前記供給口から供給される記録媒体を前記搬送経路に沿って搬送し、前記排出口から前記筐体の外部へと排出するための搬送部と、
前記筐体内に配置され、前記搬送部により搬送される記録媒体に画像を記録するための画像記録部と、
前記側面から延出し、前記供給口に供給される記録媒体の先端部を支持可能なトレイと、
前記筐体の上部に配置された空間形成部であって、前記排出口から排出された記録媒体を積載して収容可能な収容空間と、前記トレイにより先端部が支持された記録媒体の後端部を挿入可能な挿入口を有する保持空間とを仕切ることが可能な空間形成部とを備えており、
前記保持空間が、前記収容空間よりも前記供給口側に配置されており、且つ、
前記保持空間は、
前記挿入口から挿入された記録媒体の後端部を保持可能に構成されており、且つ、
前記収容空間に収容される記録媒体の積載方向から見て、前記収容空間と少なくとも一部が重複しており、
前記空間形成部は、
前記収容空間と前記保持空間とを仕切る仕切状態と、前記収容空間と前記保持空間との仕切を解除した解除状態とを取りえるように構成されており、
前記空間形成部が前記解除状態のとき、
前記保持空間においても前記排出口から排出された記録媒体を積載して収容することが可能に構成されており、
さらに、
前記空間形成部は、
前記筐体の上面から上方に立設し、前記排出口から排出される記録媒体の排出方向と直交する方向に関して対向する一対の立設板と、
前記一対の立設板の少なくとも何れか一方に回動自在に取り付けられ、前記立設板に対して起立した起立姿勢と、前記立設板に対して伏した伏せ姿勢とに回動姿勢が変更可能な仕切板とを備えており、
前記仕切板が前記起立姿勢のときに前記仕切板により前記収容空間と前記保持空間とが仕切られて前記仕切状態となり、前記仕切板にて前記排出口から排出される記録媒体を積載可能となるように構成され、且つ、
前記仕切板が前記伏せ姿勢のときに前記解除状態となるように構成されており、
前記仕切板は、
前記立設板に回動自在に取り付けられた本体板と、
前記本体板に対して、前記本体板の回動軸と直交する方向にスライド可能であり、前記本体板との重なる領域が最大となる収縮位置と、前記本体板との重なる領域が最小となる伸長位置とを取りうるスライド板とを備えており、
前記仕切板を前記起立姿勢とし、前記スライド板を前記伸長位置としたときに、前記本体板と前記スライド板とで前記排出口から排出される記録媒体を積載可能となるように構成されていることを特徴とする画像記録装置。
【請求項７】
筐体と、
前記筐体の側面に形成された、記録媒体を受け入れ可能な供給口と、前記筐体の上部に形成された、記録媒体を排出するための排出口と、前記供給口から前記排出口に至る前記筐体内に形成された搬送経路とを有し、前記供給口から供給される記録媒体を前記搬送経路に沿って搬送し、前記排出口から前記筐体の外部へと排出するための搬送部と、
前記筐体内に配置され、前記搬送部により搬送される記録媒体に画像を記録するための画像記録部と、
前記側面から延出し、前記供給口に供給される記録媒体の先端部を支持可能なトレイと、
前記筐体の上部に配置された空間形成部であって、前記排出口から排出された記録媒体を積載して収容可能な収容空間と、前記トレイにより先端部が支持された記録媒体の後端部を挿入可能な挿入口を有する保持空間とを仕切ることが可能な空間形成部とを備えており、
前記保持空間が、前記収容空間よりも前記供給口側に配置されており、且つ、
前記保持空間は、
前記挿入口から挿入された記録媒体の後端部を保持可能に構成されており、且つ、
前記収容空間に収容される記録媒体の積載方向から見て、前記収容空間と少なくとも一部が重複しており、
前記空間形成部は、
前記収容空間と前記保持空間とを仕切る仕切状態と、前記収容空間と前記保持空間との仕切を解除した解除状態とを取りえるように構成されており、
前記空間形成部が前記解除状態のとき、
前記保持空間においても前記排出口から排出された記録媒体を積載して収容することが可能に構成されており、
さらに、前記空間形成部は、
前記筐体の上面に回動自在に取り付けられており、前記上面に対して起立した起立姿勢と、前記上面に対して伏した伏せ姿勢とに回動姿勢が変更可能に構成された回動体と、
前記起立姿勢の前記回動体に対して着脱可能に載置される仕切板とを備えており、
前記回動体が前記起立姿勢であり、前記仕切板が前記回動体に載置されたときに前記仕切板により前記収容空間と前記保持空間とが仕切られて前記仕切状態となり、前記仕切板にて前記排出口から排出される記録媒体を積載可能となるように構成されており、且つ、
前記回動体が前記伏せ姿勢であり、前記仕切板が前記回動体に載置されていないときに前記解除状態となるように構成されていることを特徴とする画像記録装置。
【発明の詳細な説明】
【技術分野】
【０００１】
本発明は、画像記録装置に関する。
【背景技術】
【０００２】
従来から、多種多様なサイズの記録媒体を給紙可能な画像記録装置が知られている。例えば、特許文献１には、装置本体の側面に手差しトレイを有し、装置本体の側方にサイドペーパーデッキ部を配置したプリンタが開示されている。このプリンタでは、手差しトレイから通常のサイズよりも大きなラージサイズの紙（長尺な記録媒体）を給紙する場合には、紙の先端部を手差しトレイに載置し、紙の後端部をサイドペーパーデッキ部に載置するように構成されている。
【先行技術文献】
【特許文献】
【０００３】
【特許文献１】特開２００８−１３７７４２号公報
【発明の概要】
【発明が解決しようとする課題】
【０００４】
しかしながら、特許文献１に記載されたプリンタでは、ラージサイズの紙を給紙するためには、装置本体の側方にサイドペーパーデッキ部を配置する必要があるため、プリンタが大型になり、装置の設置スペースが大きくなる問題があった。
【０００５】
本発明の目的は、長尺な記録媒体に画像を記録することが可能な画像記録装置において、装置を小型化することができ、装置の設置スペースを小さくすることが可能な画像記録装置を提供することである。
【課題を解決するための手段】
【０００６】
上記目的を達成するため、本発明の画像記録装置は、筐体と、前記筐体の側面に形成された、記録媒体を受け入れ可能な供給口と、前記筐体の上部に形成された、記録媒体を排出するための排出口と、前記供給口から前記排出口に至る前記筐体内に形成された搬送経路とを有し、前記供給口から供給される記録媒体を前記搬送経路に沿って搬送し、前記排出口から前記筐体の外部へと排出するための搬送部と、前記筐体内に配置され、前記搬送部により搬送される記録媒体に画像を記録するための画像記録部と、前記側面から延出し、前記供給口に供給される記録媒体の先端部を支持可能なトレイと、前記筐体の上部に配置された空間形成部であって、前記排出口から排出された記録媒体を積載して収容可能な収容空間と、前記トレイにより先端部が支持された記録媒体の後端部を挿入可能な挿入口を有する保持空間とを仕切ることが可能な空間形成部とを備えており、前記保持空間は、前記挿入口から挿入された記録媒体の後端部を保持可能に構成されており、且つ、前記収容空間に収容される記録媒体の積載方向から見て、前記収容空間と少なくとも一部が重複していることを特徴とする。
【０００７】
なお、本発明において、収容空間と保持空間とを「仕切る」とは、これらの空間を完全に分断する態様のみではなく、排出口から排出された用紙が収容空間のみに収容されるようにこれらの空間の境界に部材が配置されており、これらの空間を連通する連通箇所（隙間）が存在していている態様も含む。
【０００８】
上記の構成によれば、長尺な記録媒体に画像記録する場合には、記録媒体の先端部をトレイに支持させ、記録媒体の後端部を保持空間で保持させることで、記録媒体を湾曲させて画像記録装置にセットすることができる。また、この保持空間と、排出口から排出された記録媒体を積載して収容する収容空間とは、記録媒体の積載方向から見て少なくとも一部が重複している。その結果として、装置を小型化することができ、且つ、装置の設置スペースを小さくすることができる。
【０００９】
また、本発明の画像記録装置において、前記保持空間が、前記収容空間よりも前記供給口側に配置されていてもよい。この構成によると、保持空間により後端部が保持されている記録媒体と、排出口から収容空間に排出される記録媒体とが衝突することを防止することができる。
【００１０】
また、本発明の画像記録装置において、前記空間形成部は、前記収容空間と前記保持空間とを仕切る仕切状態と、前記収容空間と前記保持空間との仕切を解除した解除状態とを取りえるように構成されており、前記空間形成部が前記解除状態のとき、前記保持空間においても前記排出口から排出された記録媒体を積載して収容することが可能に構成されていてもよい。この構成によると、トレイのみで記録媒体を支持可能なときには、空間形成部を解除状態とすることで、保持空間においても記録媒体を収容することが可能となる。その結果として、排出口から排出される記録媒体の収容数を多くすることができる。
【００１１】
また、本発明の画像記録装置において、前記空間形成部は、仕切板と、前記筐体の上面から上方に立設し、前記排出口から排出される記録媒体の排出方向と直交する方向に関して対向する一対の立設板と、前記一対の立設板の少なくとも何れか一方に形成された、前記仕切板を着脱可能に保持する保持部とを備えており、前記仕切板が前記保持部により保持されたときに前記仕切板により前記収容空間と前記保持空間とが仕切られて前記仕切状態となり、前記仕切板にて前記排出口から排出される記録媒体を積載可能となるように構成され、且つ、前記仕切板が前記保持部から取り外されたときに前記解除状態となるように構成されていてもよい。この構成によると、空間形成部の状態を簡易な手段で切り替えることができる。
【００１２】
また、本発明の画像記録装置において、前記空間形成部は、前記筐体の上面から上方に立設し、前記排出口から排出される記録媒体の排出方向と直交する方向に関して対向する一対の立設板と、前記一対の立設板の少なくとも何れか一方に回動自在に取り付けられ、前記立設板に対して起立した起立姿勢と、前記立設板に対して伏した伏せ姿勢とに回動姿勢が変更可能な仕切板とを備えており、前記仕切板が前記起立姿勢のときに前記仕切板により前記収容空間と前記保持空間とが仕切られて前記仕切状態となり、前記仕切板にて前記排出口から排出される記録媒体を積載可能となるように構成され、且つ、前記仕切板が前記伏せ姿勢のときに前記解除状態となるように構成されていてもよい。この構成によると、空間形成部の状態を簡易な手段で切り替えることができる。
【００１３】
また、本発明の画像記録装置において、前記仕切板は、前記立設板に回動自在に取り付けられた本体板と、前記本体板に対して、前記本体板の回動軸と直交する方向にスライド可能であり、前記本体板との重なる領域が最大となる収縮位置と、前記本体板との重なる領域が最小となる伸長位置とを取りうるスライド板とを備えており、前記仕切板を前記起立姿勢とし、前記スライド板を前記伸長位置としたときに、前記本体板と前記スライド板とで前記排出口から排出される記録媒体を積載可能となるように構成されていてもよい。この構成によると、仕切板が収縮可能であるため、解除状態のときの仕切板をコンパクト化することができる。
【００１４】
また、本発明の画像記録装置において、前記空間形成部は、前記筐体の上面に回動自在に取り付けられており、前記上面に対して起立した起立姿勢と、前記上面に対して伏した伏せ姿勢とに回動姿勢が変更可能に構成された回動体と、前記起立姿勢の前記回動体に対して着脱可能に載置される仕切板とを備えており、前記回動体が前記起立姿勢であり、前記仕切板が前記回動体に載置されたときに前記仕切板により前記収容空間と前記保持空間とが仕切られて前記仕切状態となり、前記仕切板にて前記排出口から排出される記録媒体を積載可能となるように構成されており、且つ、前記回動体が前記伏せ姿勢であり、前記仕切板が前記回動体に載置されていないときに前記解除状態となるように構成されていてもよい。この構成によると、空間形成部の状態を簡易な手段で切り替えることができる。
【発明の効果】
【００１５】
本発明によると、長尺な記録媒体に画像を記録することが可能な画像記録装置において、装置を小型化することができ、装置の設置スペースを小さくすることが可能な画像記録装置を提供することができる。
【図面の簡単な説明】
【００１６】
【図１】本発明の一実施形態に係るインクジェットプリンタの内部を示す概略側面図である。
【図２】図１に示すプリンタの斜視図であり、（ａ）は空間形成部が仕切状態のときの図であり、（ｂ）は空間形成部が解除状態のときの図である。
【図３】図１に示すプリンタの正面図であり、（ａ）は空間形成部が仕切状態のときの図であり、（ｂ）は空間形成部が解除状態のときの図である。
【図４】第１変形例に係るプリンタの斜視図であり、（ａ）は空間形成部が仕切状態のときの図であり、（ｂ）は空間形成部が解除状態のときの図である。
【図５】第１変形例に係るプリンタの正面図であり、（ａ）は空間形成部が仕切状態のときの図であり、（ｂ）は空間形成部が解除状態のときの図である。
【図６】第２変形例に係るプリンタの斜視図であり、（ａ）は仕切板が起立姿勢で、且つスライド板が伸張位置に配置されているときの図であり、（ｂ）は仕切板が起立姿勢で、且つスライド板が収縮位置に配置されているときの図であり、（ｃ）は仕切板が伏せ姿勢で、且つスライド板が収縮位置に配置されているときの図である。
【図７】第２変形例に係るプリンタの平面図であり、仕切板が起立姿勢で、且つスライド板が伸張位置に配置されているときの図であり、（ｂ）は仕切板が起立姿勢で、且つスライド板が収縮位置に配置されているときの図である。
【図８】第３変形例に係るプリンタの斜視図であり、（ａ）は空間形成部が仕切状態のときの図であり、（ｂ）は空間形成部が解除状態のときの図である。
【図９】第３変形例に係るプリンタの正面図であり、（ａ）は空間形成部が仕切状態のときの図であり、（ｂ）は空間形成部が解除状態のときの図である。
【図１０】（ａ）は第４変形例に係るプリンタの斜視図であり、（ｂ）は第４変形例に係るプリンタの正面図である。
【発明を実施するための形態】
【００１７】
以下、本発明の好適な実施の形態について、図面を参照しつつ説明する。先ず、図１〜図３を参照し、本発明の一実施形態に係るインクジェットプリンタ１の全体構成について説明する。なお、以下の説明において、プリンタ１が使用可能に設置された状態（図１の状態）を基準として、上方、下方を定義する。また、供給口５０が設けられている側を前方、反対側を後方として定義し、プリンタ１を前方から見た状態で、それぞれ左方、右方を定義する。
【００１８】
プリンタ１は、直方体形状の筐体１ａを有する。この筐体１ａ内の下部には給紙トレイ２０が収容されている。この給紙トレイ２０は、上面が開口した箱であり、Ａ４サイズの普通紙など定型サイズの用紙Ｐ１を複数枚収容可能である。この給紙トレイ２０は、筐体１ａに対して前後方向（図１における紙面左右方向）に着脱可能に構成されている。
【００１９】
筐体１ａの前面（正面）には、用紙Ｐ１，Ｐ２を筐体１ａ内に受け入れ可能な供給口５０（図２参照）が形成されている。また、筐体１ａの前面には、手差トレイ６０が筐体１ａの前面に対する角度可変に回動（開閉）自在に取り付けられている。この手差トレイ６０は、板状部材であり、供給口５０を閉塞する閉姿勢と、供給口５０を開放する開姿勢との間で回動可能に構成されている。手差トレイ６０は、開姿勢のときに、筐体１ａの前面から前方に延出した状態となり、供給口５０に供給される普通紙などの用紙Ｐ１を複数枚支持可能である。また、手差トレイ６０は、普通紙よりも長尺な長尺用紙Ｐ２の搬送方向（給紙方向）において前端側の端部（先端部）を支持可能に構成されている。ユーザは開姿勢の手差トレイ６０に用紙Ｐ１，Ｐ２を載置することで、給紙トレイ２０を介さずに装置の前方から用紙Ｐ１，Ｐ２を筐体１ａ内に供給することができる。
【００２０】
筐体１ａの上壁は、前方側に配置された載置部１ｂと後方側に配置された排出部１ｃとからなる。排出部１ｃは、載置部１ｂよりも上方に突出し、且つ略直方体の形状をなしている。この排出部１ｃの前面には、用紙Ｐ１，Ｐ２を筐体１ａ内から筐体１ａ外へと排出するための排出口５５が形成されている。また、筐体１ａの上部（載置部１ｂ）には、空間形成部７０が配置されている。空間形成部７０については後で詳細に説明する。
【００２１】
筐体１ａ内には、給紙トレイ２０以外に、ヘッド１０（画像記録機構）、ヘッド１０に供給するインクを貯留するカートリッジ（図示略）、搬送機構５、及び、プリンタ１各部を制御する制御部１００が配置されている。そして、この筐体１ａ内には、給紙トレイ２０及び手差トレイ６０から排出口５５に至る搬送経路Ｒ１〜Ｒ３が規定されている。
【００２２】
ヘッド１０は、図１に示すように、左右方向（図１における紙面垂直方向）に長尺なライン型であり、略直方体の外形形状を有する。ヘッド１０の下面は、ブラックインクを吐出するための多数の吐出口が開口した吐出面１０ａである。ヘッド１０の内部には、カートリッジから供給されたブラックインクが吐出口に至るまでの流路が形成されている。
【００２３】
搬送機構５は、用紙Ｐ１，Ｐ２を搬送方向に沿って搬送する機構であり、供給口５０、排出口５５、搬送経路Ｒ１〜Ｒ３、２つの給紙ローラ２１，２２、及び、７つのローラ対４１〜４７とを備えている。供給口５０は、先に少し触れたように筐体１ａの前面に形成された、用紙Ｐ１，Ｐ２を受け取り可能な開口である。また、排出口５５は、筐体１ａの上壁の排出部１ｃに形成された、用紙Ｐ１，Ｐ２を筐体１ａ内から筐体１ａ外へと排出するための開口である。
【００２４】
搬送経路Ｒ１は、給紙トレイ２０から記録位置（吐出面１０ａに対向する位置）に至る、左右方向から見てＵ字状に湾曲した経路であり、３つのガイド３１ａ〜３１ｃ、及びプラテン３５によって規定されている。プラテン３５は、吐出面１０ａと鉛直方向に対向しつつ用紙Ｐ１，Ｐ２を支持する支持面３５ａを有する。
【００２５】
搬送経路Ｒ２は、手差トレイ６０が開姿勢のときに、この手差トレイ６０から搬送経路Ｒ１の搬送方向下流部に向かう経路であり、ガイド３２により規定されている。搬送経路Ｒ３は、記録位置から排出口５５に至る、左右方向から見てＵ字状に湾曲した搬送経路である。この搬送経路Ｒ３は、３つのガイド３３ａ〜３３ｃによって規定されている。
【００２６】
この搬送経路Ｒ３は、記録位置に対して上側（記録位置に対して吐出面１０ａと同じ側）にあると共に、搬送経路Ｒ１とは逆向きに湾曲している。即ち、図１において、搬送経路Ｒ１は左側に膨らむように（Ｕ字の底部が左側に配置されるようなＵ字状に）湾曲しているのに対し、搬送経路Ｒ３は右側に膨らむように（Ｕ字の底部が右側に配置されるようにＵ字状に）湾曲している。これにより、搬送経路Ｒ１，Ｒ３は全体として逆Ｓ字状となっている。
【００２７】
給紙ローラ２１は、制御部１００の制御により回転駆動し、給紙トレイ２０内に収容された複数の用紙Ｐ１のうち最上層の用紙Ｐ１を搬送経路Ｒ１に送り出す。給紙ローラ２２は、制御部１００の制御により回転駆動し、手差トレイ６０に支持された複数の用紙Ｐ１，Ｐ２のうち最上層の用紙Ｐ１，Ｐ２を搬送経路Ｒ２に送り出す。
【００２８】
ローラ対４１〜４７は、制御部１００の制御により回転駆動されることで、給紙トレイ２０又は手差トレイ６０から送り出された用紙Ｐ１，Ｐ２を搬送経路Ｒ１〜Ｒ３に沿って搬送し、排出口５５から前方に向けて排出する。
【００２９】
制御部１００は、外部装置（プリンタ１に接続されたＰＣ等）から供給された記録指令に基づいて、用紙Ｐ１，Ｐ２に画像が記録されるよう、記録に係わる準備動作、用紙Ｐ１，Ｐ２の供給・搬送・排出動作、用紙Ｐ１，Ｐ２の搬送に同期した液体吐出動作等を制御する。制御部１００は、演算処理装置であるＣＰＵ（Central Processing Unit）に加え、ＲＯＭ（Read Only Memory）、ＲＡＭ（Random Access Memory）、ＡＳＩＣ（Application Specific Integrated Circuit ）、Ｉ／Ｆ（Interface）、Ｉ／Ｏ（Input/Output Port）、タイマ等を含む。ＲＯＭは、ＣＰＵが実行するプログラム、各種固定データ等を記憶している。ＲＡＭは、プログラム実行時に必要なデータ（例えば、画像データ）を一時的に記憶する。ＡＳＩＣは、画像データの書き換えや並び替え（例えば、信号処理や画像処理）を行う。Ｉ／Ｆは、外部装置とのデータ送受信を行う。Ｉ／Ｏは、各種センサの検出信号の入力／出力を行う。なお、制御部１００がＡＳＩＣを含まず、ＣＰＵが実行するプログラムによって画像データの書き換えや並び替えが行われてもよい。
【００３０】
ＣＰＵは、ＲＯＭに記憶されたプログラムに従って、画像記録処理、及び搬送処理を行う。画像記録処理では、ＣＰＵは、画像データに基づいて、搬送経路Ｒ１〜Ｒ３に沿って搬送される用紙Ｐ１，Ｐ２に向けて液体を吐出するように、ヘッド１０をそれぞれ制御する。詳細には、プラテン３５の支持面３５ａ上に支持されつつヘッド１０の真下（記録位置）を用紙Ｐ１，Ｐ２が通過するときに、ヘッド１０を駆動させて、吐出面１０ａの吐出口から用紙Ｐ１，Ｐ２に向けてブラックインクが吐出させる。これにより、用紙Ｐ１，Ｐ２上に画像が記録される。
【００３１】
ＣＰＵは、搬送処理では、給紙トレイ２０に収容されている用紙Ｐ１が搬送経路Ｒ１に送り出されるよう給紙ローラ２１を制御する、又は、手差トレイ６０に載置されている用紙Ｐ１，Ｐ２が搬送経路Ｒ２に送り出されるよう給紙ローラ２２を制御する。また、ＣＰＵは、ヘッド１０によって用紙Ｐ１，Ｐ２に記録が行われる間、当該用紙Ｐ１，Ｐ２が停止することなく搬送経路Ｒ１〜Ｒ３に沿って搬送され、排出口５５から排出されるようにローラ対４１〜４７を制御する。
【００３２】
次に、空間形成部７０について説明する。空間形成部７０は、図２及び図３に示すように、仕切板７１と、一対の立設板７２と、溝７３（保持部の一例）とを主に備えている。
【００３３】
一対の立設板７２は、板状部材であり、載置部１ｂの上面における幅方向両端部から上方にそれぞれ立設している。この一対の立設板７２は互いに左右方向に関して対向している。即ち、一対の立設板７２は排出口５５から排出される用紙Ｐ１，Ｐ２の排出方向と直交する方向に関して対向している。そして、この一対の立設板７２と、筐体１ａの載置部１ｂ及び排出部１ｃとで、上方及び前方が開口した空間８０を形成している。なお、本実施形態では、一対の立設板７２と筐体１ａとは一体的に成形されている。
【００３４】
一対の立設板７２それぞれの内側面には、立設板７２の前端から後端に至る溝７３が形成されている。一対の立設板７２それぞれに形成された２つの溝７３は、互いに対向しており、且つ水平面と平行に延びている。また、２つの溝７３は、一対の立設板７２において、載置部１ｂの上面よりも上方であり、且つ、排出口５５よりも下方の位置に形成されている。
【００３５】
仕切板７１は、板状部材であり、その幅は、一対の立設板７２の左右方向に関する離隔距離よりも長く、且つ、２つの溝７３の底部（左右の壁）の左右方向に関する離隔距離よりも短い。仕切板７１は、その幅方向両端部を２つの溝７３を摺動させることで、溝７３に対して挿抜（着脱）可能に構成されている。仕切板７１を、２つの溝７３に挿入して嵌合させると、仕切板７１は、載置部１ｂの上面よりも上方、且つ、排出口５５よりも下方の位置において溝７３により保持されることになる。
【００３６】
なお、本実施形態では、一対の立設板７２に形成された溝７３により、仕切板７１を保持するように構成されているが特にこれに限定されるものではない。例えば、一対の立設板７２の内側面に左右方向内側に突出した突出部を形成し、この突出部の上面に仕切板７１が着脱可能に載置されるように構成されていてもよい。また、一対の立設板７２のいずれか一方のみに溝７３（保持部）が形成されており、この１つの溝７３のみで仕切板７１を保持するように構成されていてもよい。
【００３７】
以上の構成において、仕切板７１を溝７３に挿入して嵌合させると、図２（ａ）及び図３（ａ）に示すように、空間８０は、仕切板７１により、収容空間８１と保持空間８２とに分割されることになる。換言すれば、仕切板７１よりも上方の収容空間８１と仕切板７１よりも下方の保持空間８２とが仕切られることになる。一方で、仕切板７１を溝７３から取り抜くと、図２（ｂ）及び図３（ｂ）に示すように、収容空間８１と保持空間８２との仕切りが解除される。このように、空間形成部７０は、仕切板７１を溝７３に対して挿抜することで、収容空間８１と保持空間８２とを仕切る仕切状態（図２（ａ）及び図３（ａ）参照）と、収容空間８１と保持空間８２との仕切を解除した解除状態（図２（ｂ）及び図３（ｂ））とを取り得るように構成されている。
【００３８】
収容空間８１は、排出口５５から排出された用紙Ｐ１，Ｐ２を積載して収容可能な空間である。なお、仕切板７１が溝７３に挿入されて空間形成部７０が仕切状態となっている際には、仕切板７１にて排出口５５から排出された用紙Ｐ１が積載されることになる。
【００３９】
保持空間８２は、仕切板７１、一対の立設板７２、載置部１ｂ、及び排出部１ｃにより画定される、前方が開口した空間である。この前方の開口は、手差トレイ６０により先端部が支持された長尺用紙Ｐ２の後端部（搬送方向において後端側の端部）を挿入可能な挿入口８２ａである。そして、保持空間８２は、挿入口８２ａから挿入される長尺用紙Ｐ２の後端部を保持可能に構成されている。また、収容空間８１に収容される用紙Ｐ１，Ｐ２の積載方向（本実施形態では上下方向）から見て、収容空間８１と保持空間８２とは互いに重複している。これにより、空間形成部７０が解除状態のときには、この保持空間８２においても排出口５５から排出された用紙Ｐ１を積載して収容することが可能にされている。
【００４０】
以上の構成において、長尺用紙Ｐ２に画像を記録する際には、ユーザは、仕切板７１を溝７３に挿入して空間形成部７０を仕切状態にする。そして、ユーザは、長尺用紙Ｐ２の先端部を手差トレイ６０に載置し、長尺用紙Ｐ２の後端部を挿入口８２ａから挿入することで、長尺用紙Ｐ２をプリンタ１にセットすることができる。
【００４１】
このとき、図１に示すように、長尺用紙Ｐ２は左右方向から見てＵ字状に湾曲してプリンタ１にセットされる。このため、本実施形態では、長尺用紙Ｐ２を載置するために手差トレイ６０を長尺にする必要がなく、また、長尺用紙Ｐ２の後端部を載置するための装置を筐体１ａの前方に配置する必要がない。加えて、収容空間８１に収容される用紙Ｐ１，Ｐ２の積載方向から見て、収容空間８１と保持空間８２とは互いに重複している。その結果として、プリンタ１を小型化することができ、且つ、プリンタ１の設置スペースを小さくすることができる。
【００４２】
また、保持空間８２は、収容空間８１よりも供給口５０側（下方）に配置されている。従って、排出口５５から収容空間８１に排出される用紙Ｐ１，Ｐ２と、保持空間８２により後端部が保持されている長尺用紙Ｐ２とが衝突することを防止することができる。
【００４３】
一方で、普通紙などの用紙Ｐ１に画像を記録する際には、ユーザは、仕切板７１を溝７３から取り抜いて空間形成部７０を解除状態にする。これにより、収容空間８１に加えて保持空間８２においても用紙Ｐ１を収容する（即ち空間８０の全ての空間領域において用紙Ｐ１を収容する）ことが可能となるため、排出口５５から排出された用紙Ｐ１の収容数を多くすることが可能となる。以上、本実施形態のプリンタ１では、仕切板７１の挿抜という簡易な方法で、空間形成部７０の仕切状態から解除状態の遷移、及び解除状態から仕切状態への遷移を行うことができる。
【００４４】
以下、インクジェットプリンタの変形例について説明する。なお、下記で説明する第１〜第４変形例において、上述の実施形態におけるプリンタ１、筐体１ａ、載置部１ｂ、排出部１ｃ、空間８０、収容空間８１、保持空間８２、及び挿入口８２ａそれぞれに対応する構成要素については、上述の実施形態で付した符号に、第１変形例では１００、第２変形例では２００、第３変形例では３００、第４変形例では４００をそれぞれ加算した符号を付して、その説明を適宜省略する。また、上述の実施形態と同じ構造の部材については、同一の符号を付して説明を適宜省略する。
【００４５】
（第１変形例）
まず、第１変形例に係るプリンタ１０１について説明する。第１変形例に係るプリンタ１０１の空間形成部１７０は、図４及び図５に示すように、一対の仕切板１７１、及び一対の立設板１７２を主に備えている。一対の立設板１７２は、上述の実施形態における一対の立設板７２と同様に、載置部１０１ｂの上面における幅方向両端部から上方にそれぞれ立設した板状部材である。この一対の立設板１７２それぞれの内側面には、前後方向に関して互いに所定距離隔てて配置された２つの軸受１７３が形成されている。
【００４６】
一対の仕切板１７１それぞれの前後方向に関する両側面には、２つの軸受１７３それぞれに回動自在に支持される凸部１７１ａが形成されている。一対の仕切板１７１は、この凸部１７１ａを回動軸中心として、立設板１７２の内側面に対して回動自在に取り付けられている。そして、仕切板１７１は、立設板１７２に付して起立した起立姿勢（図４（ａ）及び図５（ａ）参照）と、起立姿勢よりも上方に回動した姿勢であって、立設板１７２に対して伏した伏せ姿勢（図４（ｂ）及び図５（ｂ）参照）との２つの回動姿勢で維持可能に構成されている。
【００４７】
一対の仕切板１７１が起立姿勢のとき、この仕切板１７１により収容空間１８１と保持空間１８２とが仕切られて空間形成部１７０は仕切状態となる。このとき、この一対の仕切板１７１にて排出口５５から排出された用紙Ｐ１，Ｐ２を積載することが可能である。一方で、一対の仕切板１７１が伏せ姿勢のとき、仕切板１７１による収容空間１８１と保持空間１８２との仕切りが解除されて空間形成部１７０は解除状態となる。
【００４８】
以上、第１変形例に係る空間形成部１７０では、仕切板１７１の回動という簡易な方法で、空間形成部１７０の仕切状態から解除状態の遷移、及び解除状態から仕切状態への遷移を行うことができる。なお、第１変形例では、一対の立設板１７２それぞれに仕切板１７１が回動自在に取り付けられていたが、一対の立設板１７２のいずれか一方にのみ仕切板１７１が回動自在に取り付けられており、この１つの仕切板１７１のみで排出口５５から排出された用紙Ｐ１，Ｐ２を積載することが可能に構成されていてもよい。また、第１変形例では、仕切板１７１の伏せ姿勢は、起立姿勢から上方に回動した回動姿勢であったが、起立姿勢から下方に回動した回動姿勢であってもよい。
【００４９】
（第２変形例）
次に、第２変形例に係るプリンタ２０１ついて説明する。第１変形例と、第２変形例とでは、図６及び図７に示すように、上記第１変形例の仕切板１７１が、本体板２７１Ａと本体板２７１Ａに対してスライド可能に構成されたスライド板２７１Ｂとからなる仕切板２７１である点で主に相違する。以下、第２変形例の空間形成部２７０の構成要素については、第１変形例の空間形成部１７０の対応する構成要素に付された符号に１００を加算して、その説明を適宜省略する。
【００５０】
第２変形例に係る空間形成部２７０は、一対の仕切板２７１と、一対の立設板２７２とを備えている。この仕切板２７１は、一対の立設板２７２の内側面に対して回動自在に取り付けられており、起立姿勢と伏せ姿勢とに維持可能に構成されている。
【００５１】
仕切板２７１は、本体板２７１Ａとスライド板２７１Ｂとを備えている。本体板２７１Ａは、立設板２７２に対して回動自在に取り付けられている。スライド板２７１Ｂは、本体板２７１Ａの回動軸と直交する方向にスライド可能に本体板２７１Ａに取り付けられている。スライド板２７１Ｂは本体板２７１Ａに対してスライドさせることで、本体板２７１Ａとの重なる領域が最小となる伸長位置と（図６（ａ）及び図７（ａ）参照）、本体板２７１Ａとの重なる領域が最小となる収縮位置（図６（ｂ），（ｃ）及び図７（ｂ）参照）とを取り得る。
【００５２】
図６（ａ）に示すように、仕切板２７１を起立姿勢とし、スライド板２７１Ｂを伸長位置に配置としたとき、本体板２７１Ａとスライド板２７１Ｂとで、収容空間２８１及び保持空間２８２とが仕切られて空間形成部２７０は仕切状態となる。このとき、本体板２７１Ａとスライド板２７１Ｂとで排出口５５から排出される長尺用紙Ｐ２を積載可能に構成されている。
【００５３】
また、仕切板２７１を伏せ姿勢にして空間形成部２７０を解除状態にしたとき、図６（ｃ）に示すように、スライド板２７１Ｂを収縮位置に配置させることで、仕切板２７１をコンパクトにすることができる。その結果として、仕切板２７１が伏せ姿勢のときに、その先端が立設板２７２よりも上方に突出することを抑制することができ、その結果としてプリンタ２０１の小型化を図ることもできる。
【００５４】
（第３変形例）
次に、第３変形例に係るプリンタ３０１について説明する。第３変形例に係るプリンタ３０１の空間形成部３７０は、図８及び図９に示すように、仕切板３７１と、一対の回動体３７３とを主に備えている。また、筐体３０１ａの載置部３０１ｂには、前後方向に沿って延びる凹部３０１ｄが、一対の立設板３７２近傍それぞれに形成されている。この２つの凹部３０１ｄの底面には、前後方向に関して互いに所定距離隔てて配置された２つの軸受３７４が形成されている。一対の回動体３７３は板状部材であり、その前面及び後面には、２つの軸受３７４それぞれに回動自在に支持される凸部３７３ａが形成されている。回動体３７３は、この凸部３７３ａを回動軸中心として、凹部３０１ｄの底面に対して回動自在に取り付けられている。
【００５５】
そして、回動体３７３は、凹部３０１ｄの底面に付して起立した起立姿勢（図８（ａ）及び図９（ａ）参照）と、凹部３０１ｄの底面に対して伏した伏せ姿勢（図８（ｂ）及び図９（ｂ）参照）との２つの回動姿勢で維持可能に構成されている。仕切板３７１は、起立姿勢の２つの回動体３７３に対して着脱可能に載置される。そして、回動体３７３が起立姿勢であり、且つ、仕切板３７１が回動体３７３に対して載置されたとき、この仕切板３７１により収容空間３８１と保持空間３８２とが仕切られて、空間形成部３７０が仕切状態となる。そして、この仕切板３７１にて排出口５５から排出された用紙Ｐ１，Ｐ２を積載可能である。
【００５６】
一方で、回動体３７３が伏せ姿勢であり、且つ、仕切板３７１が回動体３７３から取り外されて載置されていないとき、この仕切板３７１による収容空間３８１と保持空間３８２との仕切りが解除されて、空間形成部３７０は解除状態となる。このとき、回動体３７３の上端の上下方向に関する位置は、載置部３０１ｂの上面（凹部３０１ｄが形成されていない面）の上下方向に関する位置と一致しており、この回動体３７３の上端と、載置部３０１ｂの上面とで排出口５５から排出された用紙Ｐ１を積載可能である。
【００５７】
以上、第３変形例に係る空間形成部３７０においても、回動体３７３の回動、及び仕切板３７１の着脱という簡易な方法で、空間形成部３７０の仕切状態から解除状態の遷移、及び解除状態から仕切状態への遷移を行うことができる。なお、第３変形例では、回動体３７３は２つ形成されていたが、特にこれに限定されるものではなく、１以上であればよい。また、載置部３０１ｂに形成された凹部３０１ｄに対して回動体３７３が回動自在に取り付けられていたが、載置部３０１ｂに凹部３０１ｄが形成されておらず、載置部３０１ｂの上面に対して回動体３７３が回動自在に取り付けられていてもよい。
【００５８】
（第４変形例）
次に、第４変形例に係るプリンタ４０１について説明する。第４変形例に係る空間形成部４７０は、図１０に示すように、筐体４０１ａの載置部４０１ｂに対して着脱可能に取り付けられるオプショントレイである。空間形成部４７０は、トレイ部４７１と、一対の支持部４７３とを備えている。トレイ部４７１は、凹状の形状をしており、排出口５５から排出された用紙Ｐ１，Ｐ２を支持可能である。一対の支持部４７３は、空間形成部４７０が筐体４０１ａの上部に取り付けられた状態において、トレイ部４７１の幅方向両端から下方に延出された板状部材である。この支持部４７３は、トレイ部４７１の支持面（上面）が排出口５５側に傾斜するようにトレイ部４７１を支持する。
【００５９】
以上の構成において、空間形成部４７０が筐体４０１ａの載置部４０１ｂに取り付けられたとき、載置部４０１ｂと、一対の支持部４７３と、トレイ部４７１とで前方が開口した空間が画定される。この空間が、手差トレイ６０により先端部が支持された長尺用紙Ｐ２の後端部を保持可能な保持空間４８２となる。一方で、トレイ部４７１の上方の空間が、排出口５５から排出された用紙Ｐ１，Ｐ２を積載して収容可能な収容空間４８１となる。
【００６０】
以上のように、第４変形例に係る空間形成部４７０では、空間形成部４７０の筐体４０１ａに対する着脱という簡易な方法で、空間形成部４７０の仕切状態から解除状態の遷移、及び解除状態から仕切状態への遷移を行うことができる。
【００６１】
以上、本発明の好適な実施の形態について説明したが、本発明は上述の実施形態に限られるものではなく、特許請求の範囲に記載した限りにおいて様々な設計変更が可能なものである。例えば、上述の実施形態では、手差トレイ６０は、その支持面が略水平面と平行にされているが、支持面３５ａが筐体１ａ側に下方に傾斜するように筐体１ａに取り付けられていてもよい。即ち、図１において、手差トレイ６０トレイの自由端（左端）が基端（右端）よりも上方に配置されていてもよい。この場合、手差トレイ６０に載置された用紙Ｐ１，Ｐ２を、支持面の傾斜に沿うように供給口５０を介して筐体１ａ内にスムーズに導くことができる。また、手差トレイ６０に支持される長尺用紙Ｐ２の前端部における重心が、手差トレイ６０の自由端よりも下方となるため、手差トレイ６０により長尺用紙Ｐ２の後端部をより確実に保持することが可能となる。
【００６２】
また、上述の実施形態では、載置部１ｂの上面は略水平面と平行にされているが、排出口５５側に下方に傾斜するように形成されていてもよい。即ち、図１において、載置部１ｂの上面は、その左端が右端よりも上方に配置されていてもよい。この場合、保持空間８２に保持されている長尺用紙Ｐ２の後端部における重心が、挿入口８２ａよりも下方となるため、保持空間８２により長尺用紙Ｐ２の後端部をより確実に保持することが可能となる。また、上述の実施形態では、仕切板７１の上面についても、略水平面と平行にされているが、排出口５５側に下方に傾斜するように構成されていてもよい。この場合、収容空間８１に収容される用紙Ｐ１，Ｐ２がプリンタ１外に落下することを抑制することができる。
【００６３】
また、上述の実施形態及び変形例では、空間形成部が仕切状態と解除状態とを取り得るように構成されていたが、仕切状態のみ取り得るように構成されていてもよい。即ち、保持空間が用紙を収容可能な空間として用いることがないように構成されていてもよい。また、収容空間と保持空間とが用紙の積載方向から見て、保持空間と収容空間とが一部のみ重複しており、重複していない領域があってもよい。
【００６４】
また、上述の実施形態では、空間形成部の仕切状態から解除状態の遷移及び解除状態から仕切状態の遷移は、ユーザにより実行されるように構成されていたが、これらの状態を切り替え可能な駆動部を設け、制御部１００がこの駆動部を制御することで状態が遷移するように構成されていてもよい。
【００６５】
また、収容空間８１が保持空間８２よりも供給口５０側（下側）に配置されていてもよい。この場合、排出口５５から収容空間８１に排出される用紙Ｐ１，Ｐ２と、保持空間８２により後端部が保持されている長尺用紙Ｐ２とが衝突することになり、保持空間８２により後端部が保持されている長尺用紙Ｐ２により、排出口５５から収容空間８１に排出される長尺用紙Ｐ２が筐体１ａ外に落下することを抑制することができる場合がある。また、手差トレイ６０は筐体１ａに対して回動可能に構成されているが、筐体１ａに対して回動不能に固定されていてもよい。記録媒体は、用紙Ｐ１，Ｐ２に限定されず、記録可能な任意の媒体であってよい。
【００６６】
本発明はライン式インクジェットプリンタのみならず、静止している用紙Ｐ１，Ｐ２に対してヘッド１０を移動させることで、用紙Ｐ１，Ｐ２に画像を記録するシリアル式インクジェットプリンタにも適用可能である。加えて、レーザプリンタやサーマルプリンタなどの画像記録装置にも適用することが可能である。また、本発明は、プリンタに限定されず、ファクシミリやコピー機等にも適用可能である。
【符号の説明】
【００６７】
１，１０１，２０１，３０１，４０１  インクジェットプリンタ（画像記録装置）
１ａ，１０１ａ，２０１ａ，３０１ａ，４０１ａ  筐体
１０  ヘッド（画像記録機構）
５  搬送機構（搬送部）
５０  供給口
５５  排出口
６０  手差トレイ
７０，１７０，２７０，３７０，４７０  空間形成部
８１，１８１，２８１，３８１，４８１  収容空間
８２，１８２，２８２，３８２，４８２  保持空間
Ｒ１〜Ｒ３  搬送経路
【図１】
0006447312.tif 000002
【図２】
0006447312.tif 000003
【図３】
0006447312.tif 000004
【図４】
0006447312.tif 000005
【図５】
0006447312.tif 000006
【図６】
0006447312.tif 000007
【図７】
0006447312.tif 000008
【図８】
0006447312.tif 000009
【図９】
0006447312.tif 000010
【図１０】
0006447312.tif 000011